(57)【要約】【課題】  樹脂製の継手及びこれを連結してなる配管用ヘッダ−を固定するための固定構造を提供するもので、樹脂製の継手の最も強度の高いキャップを固定具にて固定するものであり、ずれやねじれにも十分耐え得るものである。【解決手段】  パイプ継手を連結した配管用ヘッダ−の固定装置であって、固定部とパイプ継手のキャップを挟む挟持部を備えた固定具と、基盤と配管用ヘッダ−の間に配管用ヘッダ−に沿う架台を配備し、当該架台に前記固定具を固定する目印を設置したことを特徴とするパイプ継手を連結した配管用ヘッダ−の固定装置。３‥連結用筒体、６‥キャップ、２０‥固定具、２１‥固定部、２２‥脚部、２３‥挟持部、２３ｆ‥舌片。４０‥架台、４１‥固定具の固定面、４３‥翼部、４４‥目印。【選択図】  図７
2005233327.tif 000002
【特許請求の範囲】
【請求項１】
パイプ継手を連結した配管用ヘッダ−の固定装置であって、固定部とパイプ継手のキャップを挟む挟持部を備えた固定具と、基盤と配管用ヘッダ−の間に配管用ヘッダ−に沿う架台を配備し、当該架台に前記固定具を固定する目印を設置し、この目印に従って前記固定具を固定したことを特徴とするパイプ継手を連結した配管用ヘッダ−の固定装置。
【請求項２】
架台が、固定具の固定部と当設される平面を有し、この平面に目印が設けられた請求項１記載のパイプ継手を連結した配管用ヘッダ−の固定装置。
【請求項３】
目印が、固定具の固定部を固定するボルトがねじ込まれる穴である請求項１記載のパイプ継手を連結した配管用ヘッダ−の固定装置。
【発明の詳細な説明】
【技術分野】
【０００１】
本発明は樹脂製のパイプ継手単体を連結した配管用ヘッダ−を基盤上に固定する固定装置に関するものである。
【背景技術】
【０００２】
近年、高層建築を始め戸建て住宅にあっても給水・給湯パイプとして比較的柔軟な樹脂製のパイプが用いられている。代表的に言えば、給水・給湯源から導かれた配管用ヘッダ−と各器具間をこの樹脂製のパイプにて連結するものであり、この配管用ヘッダ−と樹脂パイプ、樹脂パイプと各器具、更に樹脂パイプ同士の連結には継手が用いられ、近年ではこの継手も配管用ヘッダ−も樹脂製のものが採用されるようになってきた。特に配管用ヘッダ−にあっても、樹脂製の継手をそのまま連結した構造の配管用ヘッダ−が採用されるようになっている。
【０００３】
以下、本発明を樹脂製の継手を連結した配管用ヘッダ−を代表として説明すると、この種の配管用ヘッダ−は通常はコンクリ−ト等の基盤に固定されて使用に供される。しかるに、樹脂製の継手を連結した配管用ヘッダ−にあっては、外部応力等により継手の夫々が連結部にてやや動きを伴うため、多少の折れ曲がり現象を生ずる。従って、使用される固定具にはこのずれやねじれを阻止する機能を持っていなくてはならないが、かかる機能を有する固定具はない。
【０００４】
図１は樹脂製の継手の一例であり、図２はこれを連結した配管用ヘッダ−の例である。かかる継手は基体１がポリブテン製であり、基体１に貫通する流路２が形成され、その一側に連結用筒体３、他側に筒体３を保持する保持機構４が構成されている。この例では前記流路２より分岐して保持機構４をもつ分岐口５を備えたものである。保持機構４にはこれを構成する部材を支持するキャップ６が螺着されている。尚、例挙したものは継手の一例であり、図示はしないが分岐口のない形状の継手等があることは言うまでもない。
【０００５】
かかる継手より配管用ヘッダ−を構成するには複数の継手の連結用筒体３を夫々順次保持機構４内に差し込んでなるもので、所望の数の分岐口５を持つ配管用ヘッダ−を構成する。しかるに、得られた配管用ヘッダ−は継手が連続的に連なったものであり、外力によって図のように継手が全体として折れ曲がったような状態（固定位置のずれやねじれの状態）の配管用ヘッダ−となりやすく、基盤上の固定する固定具はこの折れ曲がり現象に耐え、しかも、できればこの現象を阻止する機能を有することが必要となる。
【０００６】
勿論、樹脂パイプ同士、或いは機器と樹脂パイプを繋ぐのに用いられる同様の継手にあっても、パイプに柔軟性があるがために継手が向きを変えたり、移動することは避けられないことから、継手のみの場合であっても同様な阻止機能を有することが必要である。
【０００７】
本発明者は、かかる欠点を改善するため、特願２００３−０１６８０１号（特許文献１）にてパイプ継手を複数連結してなる配管用ヘッダ−を固定するための固定具を既に提案している。
【０００８】
【特許文献１】特願２００３−０１６８０１号
【０００９】
この既提案の固定具は、基盤への固定部１と樹脂製の継手のキャップを挟む挟持部２とよりなるもので、パイプ継手を複数連結してなる配管用ヘッダ−の左右端部の継手及び中間の継手を夫々挟み、基盤に固定するものである。
【００１０】
かかる提案によって、配管用ヘッダ−の動きを阻止することができることとなったものではあるが、更に改良を要請される場合がある。
【００１１】
即ち、固定具が全て正確に直線状をなして基盤に固定されていること、固定具の挟持部の向きに変更がないことが必要であるところ、これらにずれがあるとヘッダ−が設置できなくなってしまったり、設置できたとしても基本的に湾曲したり捩じれたりしたままで固定されてしまうという欠点がある。
【発明の開示】
【発明が解決しようとする課題】
【００１２】
本発明は以上のような従来の技術に鑑みてなされたものであって、樹脂製の継手及びこれを複数連結してなる配管用ヘッダ−を正確に固定するための固定具を提供するものである。
【課題を解決するための手段】
【００１３】
本発明の要旨は、パイプ継手を連結した配管用ヘッダ−の固定装置であって、固定部とパイプ継手のキャップを挟む挟持部を備えた固定具と、基盤と配管用ヘッダ−の間に配管用ヘッダ−に沿う架台を配備し、当該架台に前記固定具を固定する目印を設置したパイプ継手を連結した配管用ヘッダ−の固定装置にかかるものである。
【発明の効果】
【００１４】
本発明の固定装置は以上の通りであって、基盤上に所定の目印を付した架台を配備するため、全ての固定具が所定の箇所に設置できることになり、これによって固定される各継手は無理なく固定されることになる。従って、パイプ継手を何個繋いだ場合でもその配管用ヘッダ−には固定に際しての無理な力は加わることはなく、所期の配備が完成されることになる。
【発明を実施するための最良の形態】
【００１５】
本発明は以上の通りの固定装置であって、継手を構成する最も強度の高い部位を固定具の挟持部をもって固定したものであり、しかもこの固定具は、その取り付け位置や向きなどがばらばらにならないように固定の目安となる目印が付された架台上に固定されるものである。このため、パイプ継手が連結された配管用ヘッダ−に曲げをもたらしたり、捩じれを生じたりすることがなくなり、従来の欠点を一挙に解決したものである。
【００１６】
固定具の好ましい構造としては、基盤への固定部とパイプ継手のキャップを挟む挟持部を備え、当該挟持部は二つ割りされ、かつこの幅方向に内側に湾曲してキャップの側面を挟み込む舌片を備え、更に挟持部の前端に相互に係止する係止手段を持ち、後端側を固定部に立設された脚部により回転可能に支持され、後端側より更に内側に伸びる踏部を形成し、前端よりキャップを差し込み、当該キャップにて踏部を押して前端の係止手段が作動するように構成されたものがよい。
【００１７】
樹脂製の継手の一例としては、基体がポリブテン等の樹脂製であり、この基体を貫通する流路が形成され、その一側に連結用筒体、他側に筒体を保持する保持機構が構成されている。例えば前記流路より分岐して保持機構をもつ分岐口を備えたものである。保持機構の代表例としてはＯ−リング、パイプ保持リング（筒体保持機構）及びこれらを支持して基体に螺着されたキャップよりなるものである。
【００１８】
架台は基盤と配管継手の間に介在することとなるが、この架台には固定具が固定される固定面が形成されるものであり、この固定面或いはその側面に固定具の固定位置の目印となるマ−ク、ライン、刻印或いは穿孔部が備えられるものである。これによって固定具の固定位置が特定されることになる。特に言えば、固定具の固定部における固定用のねじがねじ込まれる穿孔部が形成されることが最も望ましい。
【００１９】
架台の固定面は一つに限られることはなく、複数の面を固定面にすることができることは言うまでもない。
【実施例】
【００２０】
以下、図面をもって本発明を更に詳細に説明する。図３はパイプ継手の一例を示す断面図であり、符号１〜６は前記した通りである。さて、筒体３を保持する保持機構４にあっては、流路２の段部２1 内にＯ−リング７及びパイプ保持リング８が内蔵され、これらをキャップ６にて支持した構造である。
【００２１】
そして、配管用ヘッダ−１０は前記の継手を複数用い、連結用筒体３を順次保持機構４内へ差し込んで連結してなるものである。連結用筒体３の表面をＯ−リング７及びパイプ保持リング８の図示しない爪が噛み込んで継手が順次固定されて配管用ヘッダ−１０が構成される。分岐口５には前記した保持機構４がそのまま備えられている。さて、この配管用ヘッダ−１０は一つひとつの継手が連結用筒体と保持機構をもって連結されたものであるので、外力が加わった場合には、図２で示すようにその連結部位で折り曲がった状態となることがある。
【００２２】
本発明はこのために特別な構成をもった固定具を採用したものであり、図４は固定具の正面図、図５はその側面図である。
【００２３】
本発明の固定具２０は金属製であり、２１は略長方形をなす基盤への固定部であって、中央に取付穴２１ａが穿孔され、その周囲はフランジ状に立設されて強度アップが図られている。この固定部２１の対向する辺より一対の脚部２２、２２が立ち上げられ、この先端に左右に張り出すピン２２ａ、２２ａが備えられている。２３は挟持部であり、これは二つ割りの挟持部２３ａ、２３ｂされその内周面はほぼキャップ６の外形と同等かそれよりもやや小さめの円弧面をなすものである。この挟持部２３ａ、２３ｂの前端には相互に係止する係止手段を持つもので、具体的には２３ｂ側に外向きの突起２３ｃを形成し、２３ａ側にこれと引っ掛かる掛止部２３ｄを備えたものである。かかる挟持部２３ａ、２３ｂの後端の外側に前記したピン２２ａ、２２ｂを納める穴２３ｅが形成され、挟持部２３ａ、２３ｂが回転可能に軸支される。かかる挟持部２３ａ、２３ｂの幅縁には内側に湾曲してキャップの側面を挟み込む舌片２３ｆ、２３ｆを備えたものである。そして、挟持部２３ａ、２３ｂの後端より更に内側に伸びる踏部２３ｇ、２３ｇが備えられた。
【００２４】
さて、この固定具２０によって配管用ヘッダ−１０を固定する場合を図６にて示す。この図６は架台（１）の斜視図であり、図７は架台（１）と固定具２０との関係を示す側面図である。先ず基盤の所定位置に架台４０を固定する。かかる架台（１）４０は固定具２０を固定するための固定面４１を側面４２によって隆起させた状態で備え、基盤に固定する翼部４３を備えたものである。そして、この固定面４１や側面４２に固定具２０を固定するための目印（この例では穿孔部）４４を所定の位置に形成したものである。勿論、この目印は単にマ−ク、ライン、任意の刻設目印であってもよいもので、いずれにしろ、配管用ヘッダ−１０におけるキャップの位置に合致させて備えたものである。
【００２５】
次に、その固定は先ず架台４０を基盤上にその翼部４３を利用して取り付ける。次いで架台４０の固定面４１に固定具２０を固定する。勿論、架台４０に備えた目印に従って取付穴２１ａを利用し、図示しないボルトにて固定する。従って、全ての固定具２０は固定面４１上に同一方向をもって均一に立設されることになり、その間に位置的なずれや捩じれがないことになる。
【００２６】
そして、配管用ヘッダ−１０を構成する継手のキャップ６を挟持部２３ａ、２３ｂの前端より挿入し、踏部２３ｇ、２３ｇを強く押し、前端を閉じて突起２３ｃと掛止部２３ｄとを引っ掛けて係止させるものである。このため、キャップ６はそのほぼ全周を挟持部２３ａ、２３ｂにて押え込まれ、しかもキャップ６の側面を舌片２３ｆ、２３ｆにて挟み込まれることとなり、ここに配管用ヘッダ−１０を確実に固定する固定装置となる。
【００２７】
固定具２０は配管用ヘッダ−を構成する内の最も強度の高いキャップ６を、外周のほぼ全周を、更にはその側面を押え込む構造であるため、継手（配管用ヘッダ−）のずれに対してキャップ６を強く押え込むことからそのずれを矯正する機能を持つものである。
【００２８】
尚、本発明の固定具２０は上記したように金属製のものが強度の面から望ましいが、必ずしもこれに限定するものではなく、強度の高い樹脂製の固定具であってもよいことは言うまでもない。図８はこの樹脂製の固定具３０を示す側面図であり、この例では、基盤への固定部３１、脚部３２、挟持部３３は夫々一体に形成され、脚部３２と一対の挟持部３３との連結部をやや薄めとして柔軟性を持たせて回転可能としたものである。挟持部３３の内周面は前例と同様にキャップ６の外形と同等かやや小さめの円弧面とされている。そして挟持部３３ａ、３３ｂの前端には係止手段としての凹凸部３３ｄが備えられている。又、挟持部３３ａ、３３ｂの左右縁部にはキャップ６を左右より挟むべく舌片３３ｆ、３３ｆが内向きに備えられたもので、３３ｇは踏部である。
【００２９】
かかる固定具３０をもって継手を固定する際には、前例と同じく架台４０の固定面４１に固定具３０が固定され、配管用ヘッダ−を構成する継手のキャップ６は挟持部３３ａ、３３ｂにてその外周が囲まれ、そして、舌片３３ｆ、３３ｆにてその左右の縁部が挟まれることになり、係止手段としての凹凸部３３ｄが嵌合することによって固定がなされることになる。
【００３０】
尚、本発明の継手は上記したものに限定されないことは勿論であり、図９は別例の継手を示すものである。即ち、段部２1 内にＯ−リング７とカラ−９とが内蔵されたものであって、カラ−９にはその内側に図示しない爪が備えられて差し込まれるパイプ等の表面に食い込む構成をなし、そのカラ−９の外表面は傾斜面９ａを備えている。一方、キャップ６の内周側は傾斜面９ａに対向した傾斜面６ａが形成され、カラ−９が差し込まれたパイプ等と共に抜け出す方向に移動すると、傾斜面同士が接触し合い、カラ−９は内向きの力が加えられてパイプ等を更に締め付ける自動締め付け構造となっている。
【００３１】
又、基盤上に備えられる架台４０にあっても特に限定されるものではなく、例えば図１０〜図    のものが例示される。図１０は架台（２）４０の斜視図であり、特に翼部は存在しないが、固定部４１に穿孔した孔４５を利用してボルトを底板部４６に挿通して基盤上に固定するものである。
【００３２】
図１１に示す架台（３）４０にあっては、側面をも固定具の固定面として二つの配管用ヘッダ−を固定するもので、図１２は架台（３）４０と固定具２０との関係を示す側面図である。
【００３３】
図１３に示す架台（３）４０にあっては、側面及び翼部４３をも固定具の固定面として三つの配管用ヘッダ−を固定するもので、図１４は架台（３）４０と固定具２０との関係を示す側面図である。
【産業上の利用可能性】
【００３４】
本発明は以上の通りの構成を備えた固定装置であって、樹脂製の継手の内、最も強度の高いキャップを曲げや捩じれを伴わずに正確に固定するものであり、その固定強度は高く、継手のずれやねじれにも十分耐え得る固定構造となったものであり、その実用価値は極めて高い。
【図面の簡単な説明】
【００３５】
【図１】図１は樹脂製の継手の一例の側面図である。
【図２】図２はこれを連結した配管用ヘッダ−の側面図である。
【図３】図３は本発明に係る継手の詳細例を示す断面図である。
【図４】図４は本発明の固定具の正面図である。
【図５】図５はその側面図である。
【図６】図６は架台（１）の斜視図である。
【図７】図７は架台（１）を用いた配管用ヘッダ−固定装置の側面図である。
【図８】図８は本発明の樹脂製の固定具の側面図である。
【図９】図９は本発明に係る架台の別例（２）を示す断面図である。
【図１０】図１０は架台（２）の斜視図である。
【図１１】図１１は架台（３）の斜視図である。
【図１２】図１２は架台（２）を用いた配管用ヘッダ−固定装置の側面図である。
【図１３】図１３は架台（４）の斜視図である。
【図１４】図１４は架台（４）を用いた配管用ヘッダ−固定装置の側面図である。
【符号の説明】
【００３６】
１‥継手の基体、
２‥基体を貫通する流路、
２1 ‥流路内の段部、
３‥連結用筒体、
４‥筒体保持機構、
５‥分岐口、
６‥キャップ、
７‥Ｏ−リング、
８‥パイプ保持リング、
９‥カラ−、
１０‥配管用ヘッダ−、
２０、３０‥固定具、
２１、３１‥固定部、
２１ａ‥取付用長穴、
２２、３２‥脚部、
２２ａ‥ピン、
２３、２３ａ、２３ｂ、３３、３３ａ、３３ｂ‥挟持部、
２３ｃ‥突起、
２３ｄ‥掛止部、
２３ｅ‥ピンを納める穴、
２３ｆ、３３ｆ‥キャップの側面を挟み込む舌片、
２３ｇ、３３ｇ‥踏部、
４０‥架台、
４１‥固定具の固定面、
４２‥側面、
４３‥翼部、
４４‥目印。
【図１】
2005233327.tif 000003
【図２】
2005233327.tif 000004
【図３】
2005233327.tif 000005
【図４】
2005233327.tif 000006
【図５】
2005233327.tif 000007
【図６】
2005233327.tif 000008
【図７】
2005233327.tif 000009
【図８】
2005233327.tif 000010
【図９】
2005233327.tif 000011
【図１０】
2005233327.tif 000012
【図１１】
2005233327.tif 000013
【図１２】
2005233327.tif 000014
【図１３】
2005233327.tif 000015
【図１４】
2005233327.tif 000016